(57)【要約】【課題】気密端子の位置ずれを抑制し、正確な位置を確保した状態で気密端子上のリード端子に圧電振動片を接合することができる圧電振動子の固定治具、及び圧電振動子の固定方法を提供する。【解決手段】圧電振動片５は、上治具２のガイド部２ａにガイドされることによって気密端子６のインナーリード７ａに対して正確な位置を維持して配置され、気密端子６は、圧電振動片５の側面をガイド保持する側壁面部２ｃに連続して設けられた位置決め部２ｄが気密端子６の上端部の一部に当接することで、気密端子６が位置決め配置される構成である。【選択図】図２
2020053869.tif 000002
【特許請求の範囲】
【請求項１】
少なくとも、リード端子が埋設されて成る気密端子上に圧電振動片を配置固定するための圧電振動子固定治具において、前記気密端子を保持するキャリアと、前記圧電振動片を保持する上治具とを有し、当該上治具には前記圧電振動片を保持するためのガイド部と、前記気密端子を位置決めする位置決め部が設けられて成ることを特徴とする圧電振動子固定治具。
【請求項２】
前記ガイド部は、圧電振動片の側面部に当接して当該圧電振動片をガイド保持する構成であり、前記位置決め部は、前記ガイド部に連続して延在し前記気密端子の上端部に当接して当該気密端子を位置決め保持することを特徴とする請求項１に記載の圧電振動子固定治具。
【請求項３】
前記上治具がセラミックス材料で構成されて成ることを特徴とする請求項１又は２に記載の圧電振動子固定治具。
【請求項４】
少なくとも、リード端子が埋設されて成る気密端子をキャリアに配置する工程と、前記気密端子を上治具に設けられた位置決め部に当接して位置決め保持する工程と、前記上治具に設けられたガイド部に圧電振動片を配置し前記気密端子上に固定する工程と、を有することを特徴とする圧電振動子固定方法。
【発明の詳細な説明】
【技術分野】
【０００１】
本発明は、気密端子に固定されたリードに圧電振動片を半田接合する圧電振動子固定治具、及び圧電振動子固定方法に関するものである。
【背景技術】
【０００２】
従来より、気密端子に固定されたリードの上端部（インナーリード）に圧電振動片を半田接合し、キャップ状の封止管で気密封止した所謂シリンダー型の圧電振動子が知られている。
【０００３】
通常、絶縁部材から成る円柱状の気密端子に、２本のリードが厚み方向へ貫通した状態で固定されており、その上端部（インナーリード）に圧電振動片の下端部が半田ペーストにより半田接合されている。気密端子の外周面には、封止管を圧入する際の圧入代として半田メッキ（例えば、ＳｎＣｕメッキ）が施されており、そこにキャップ状の封止管の開口端が圧入されることで圧電振動片が封止管の内部に気密封止されることで、所謂シリンダー型圧電振動子が構成される。
【０００４】
従来技術によるシリンダー型の圧電振動子の固定方法は、まず、予め外周面に半田メッキが施された気密端子を圧電振動子固定治具に複数個搭載したうえで、圧電振動片を２本のインナーリードに半田ペースト（例えば、ＳｎＡｇＣｕの混合ペースト）を介して仮固定する。
【０００５】
図３は、従来技術の圧電振動子固定治具の一部を示す断面図である。圧電振動子固定治具１０は、圧電振動片１４をガイド保持する上治具１１と、気密端子１５をガイド保持するキャリア１２で構成されている。尚、キャリア１２の上面には、気密端子１５の外周に対応したガイド孔を有するガイド板１３が配置されている。尚、キャリア１２とガイド板１３は、気密端子１５の配置状態を示すため断面図で表記している。
【０００６】
キャリア１２上には予め気密端子１５が配置されており、気密端子１５に埋設されたリード端子１６のインナーリード１６ａには、図示しない半田ペーストが設けられている。圧電振動片１４は、キャリア１２の上方に設置された上治具１１の開口端１１ａから挿入されガイド部１１ｂによってガイドされ、気密端子１５の上面部へ配置される。そして、圧電振動片１４は、その基部がインナーリード１６ａに設けられた半田ペーストによって仮固定された状態となる。
【０００７】
上述のようにして圧電振動片１４と気密端子１５が配置された圧電振動子固定治具１０は、例えば、図示しない耐熱式のベルトコンベア上に載置され搬送される。ベルトコンベアの搬送経路の途中には、半田ペーストを溶融させるのに十分な温度（例えば、７００〜８００℃）に加熱した空気（熱風）を噴射する熱風噴射ノズルが、搬送経路の片側に沿って複数個並べて設置されており、圧電振動子固定治具１０がそれら熱風噴射ノズルと対向する領域に差し掛かると、熱風噴射ノズルから噴射された熱風が圧電振動片１４とインナーリード１６ａとの接合部位周辺に局所的に吹付けられ、圧電振動子固定治具１０がその領域を通過する間に、半田ペーストが溶融して圧電振動片１４がインナーリード１６ａに固定される。（例えば、特許文献１参照）
【先行技術文献】
【特許文献】
【０００８】
【特許文献１】特開２００８−２５２５３２号公報
【発明の概要】
【発明が解決しようとする課題】
【０００９】
しかしながら、上述の圧電振動子固定治具の構成によると、圧電振動片１４は上治具１１によってガイド保持された状態が保たれることになるが、圧電振動片１４を気密端子１５のインナーリード１６ａと接合する際に気密端子１５が図３における矢印方向への移動や傾きによって位置ずれを生じる場合がある。また、加熱工程における圧電振動子固定治具のベルトコンベア搬送途中においても、その衝撃、振動によって気密端子１５の位置ずれが生じることがあり、接合精度を低下させる要因となっていた。さらには、上治具１１は金属材料、キャリアは樹脂材料によって構成されているため、加熱時の熱による熱膨張率の差に起因して気密端子１５の位置ずれも生じていた。
【００１０】
本発明は、上記課題に鑑みてなされたもので、気密端子の位置ずれを抑制し、正確な位置を確保した状態で気密端子上のインナーリードに圧電振動片を接合することができる圧電振動子の固定治具、及び圧電振動子の固定方法を提供することを目的とする。
【課題を解決するための手段】
【００１１】
少なくとも、リード端子が埋設されて成る気密端子上に圧電振動片を配置固定するための圧電振動子固定治具において、気密端子を保持するキャリアと、圧電振動片を保持する上治具とを有し、当該上治具には圧電振動片を保持するためのガイド部と、気密端子を位置決めする位置決め部が設けられた圧電振動子固定治具とする。
【００１２】
ガイド部は、圧電振動片の側面部に当接して当該圧電振動片をガイド保持する構成であり、位置決め部は、ガイド部に連続して延在し気密端子の上端部に当接して当該気密端子を位置決め保持する圧電振動子固定治具とすると良い。
尚、上治具はセラミックス材料で構成するのが好ましい。
【００１３】
少なくとも、リード端子が埋設されて成る気密端子をキャリアに配置する工程と、気密端子を上治具に設けられた位置決め部に当接して位置決め保持する工程と、上治具に設けられたガイド部に圧電振動片を配置し気密端子上に固定する工程と、を有する圧電振動子固定方法とする。
【発明の効果】
【００１４】
本発明によれば、気密端子の位置ずれを抑制し、正確な位置を確保した状態で気密端子上のインナーリードに圧電振動片を接合することができ、高品質な圧電振動子を得ることができる。
【図面の簡単な説明】
【００１５】
【図１】本発明の実施形態に係る圧電振動子固定治具を示す図。
【図２】本発明の実施形態に係る圧電振動子固定治具の一部拡大断面。
【図３】従来の振動片固定治具の一部拡大断面。
【発明を実施するための形態】
【００１６】
図１は、本発明の実施形態に係る圧電振動子固定治具を示す図であり、図２は、本発明の実施形態に係る圧電振動子固定治具の一部拡大断面である。圧電振動子固定治具１は、気密端子６を配置するキャリア３と圧電振動片５を整列配置する上治具２から構成されている。気密端子６と圧電振動片５は互いに対向配置される位置関係で複数個（図１においては１６個）配置される構成である。
【００１７】
圧電振動片５と気密端子６の圧電振動子固定治具１への配置状態については、図２を参照しながら詳細に説明する。尚、キャリア３とガイド板４は、気密端子６の配置状態を示すため断面図で表記している。
【００１８】
キャリア３の上面部には、気密端子６のリード端子７を挿入配置するための孔３ａが設けられている。孔３ａに対応する位置には、気密端子６の外周部形状に対応する開口部４ａを有したガイド板４が敷設されており、リード端子７が孔３ａに挿入配置されたとき、気密端子６の外周部がガイド板４の開口部４ａ内に配置される構成となる。開口部４ａは、気密端子６の外周形状に対応した形状の開口となっており、孔３ａの内径は、開口部４ａの内径よりも小さいため、気密端子６の外周端部が、開口部４ａ内で露出するキャリア３の上面部で保持される。この気密端子６のリード端子７のインナーリード７ａには、図示していないが、圧電振動片５を仮固定するための半田ペーストが塗布される。
【００１９】
上治具２には、圧電振動片５をガイド保持するためのガイド部２ａが設けられている。このガイド部２ａは、圧電振動片５の主面片側に接する壁面部２ｂが設けられ、圧電振動片５の側面に接する側壁面部２ｃが設けられている。
【００２０】
圧電振動片５は、上治具２に設けられたガイド部２ａによってガイド保持され気密端子６の上面部の２本のインナーリード７ａ（図２において、もう１本のインナーリードは反対側に位置するため図中に示されない）の間に配置され、図示しない半田ペーストを介して仮固定される。このようにして、圧電振動片５は、ガイド部２ａにガイドされることによって気密端子６のインナーリード７ａに対して正確な位置を維持することができる。
【００２１】
さらに、上治具２には、気密端子６を位置決めするための位置決め部２ｄが設けられている。この位置決め部２ｄは、圧電振動片５の側面をガイドする側壁面部２ｃと同一面を保ち連続して設けられており、気密端子６に向かってその外周方向へ広がるようテーパー状に形成されている。この位置決め部２ｄ、即ちガイド部２ａから連続的に延伸する側壁面が気密端子６の上端部の一部に当接することで、気密端子６が位置決めされる構成となっている。
【００２２】
前記位置決め部２ｄは、側壁面部２ｃから気密端子６に向かってテーパー状に形成されたものであるが、これに限定せず、例えば段付形状に形成し段付部を気密端子６の上端部、及び／又は側面部に当接して位置決めする構成であっても良い。
【００２３】
このような構成によれば、上治具２に設けられた圧電振動片５のガイド部２ａ及び気密端子６の位置決め部２ｄによって、各々が正確な位置関係を保ったまま固定することができる。
【００２４】
上述のように、圧電振動片５がインナーリード７ａに仮固定された状態の気密端子６を保持した圧電振動子固定治具１は、図示しない例えば耐熱式のベルトコンベアの上に載置されて、半田ペーストを溶融して本固定するための加熱工程へと搬送される。
【００２５】
そしてベルトコンベアの搬送経路にある加熱手段（熱風噴射ノズル等）によって、圧電振動片５と気密端子６の固定部を加熱することで、半田ペーストを溶解させ、それぞれが固着される。
【００２６】
上治具２は、金属材料で構成することができるが、上治具２の位置決め部２ｄが気密端子６の上端部に当接する状態になるため、製造過程において受ける外部応力による金属同士の接触によって、上治具２と接する気密端子６の上端部を磨耗させてしまう可能性がある。このような問題を防止するためには、上治具２をセラミックス材料等で構成すると良い。
【符号の説明】
【００２７】
１      圧電振動子固定治具
２      上治具
２ａ    ガイド部
２ｂ    壁面部
２ｃ    側壁面部
２ｄ    位置決め部
３      キャリア
４      ガイド板
４ａ    開口部
５      圧電振動片
６      気密端子
７      リード端子
７ａ    インナーリード
１０    圧電振動子固定治具
１１    上治具
１１ａ  開口端
１１ｂ  ガイド部
１２    キャリア
１３    ガイド板
１４    圧電振動片
１５    気密端子
１６    リード端子
１６ａ  インナーリード
【図１】
2020053869.tif 000003
【図２】
2020053869.tif 000004
【図３】
2020053869.tif 000005